【手続補正書】
【提出日】平成27年2月4日(2015.2.4)
【手続補正１】
【補正対象書類名】特許請求の範囲
【補正対象項目名】全文
【補正方法】変更
【補正の内容】
【特許請求の範囲】
【請求項１】
ヘッドセット装置であって、
リテーナと、
第１の電極であって、前記リテーナが対象の頭部上に向けられた際に、前記第１の電極が前記対象のＭＣＡの前に配置され、側脳室の前角に略対向するように、第１の位置で前記リテーナに接続されている第１の電極と、
第２の電極であって、前記リテーナが前記対象の前記頭部上に向けられた際に、前記第２の電極が前記ＭＣＡの後ろに配置され、前記側脳室の後角に略対向するように、第２の位置で前記リテーナに接続されている第２の電極と、
少なくとも１つの電気伝導体であって、前記第１の電極が前記第１の位置にあり、前記第２の電極が、前記第２の位置にある時、前記リテーナ、前記第１の電極、および前記第２の電極が、前記側脳室を介して前記ＭＣＡの１つの側部上の前記第１および第２の電極の１つから、前記第１の側部と反対の前記ＭＣＡの第２の側部上の別の前記第１および第２の電極まで電流が流れることのできるように協同する回路を介して前記第１の電極および前記第２の電極が接続されるように、前記回路と前記第１および第２の電極を接続することを可能とする、少なくとも１つの電気伝導体と、
を含む、ヘッドセット装置。
【請求項２】
前記リテーナが、前記第１の電極と前記第２の電極との間に７０ｍｍ〜１００ｍｍの間隔を維持する、請求項１に記載のヘッドセット装置。
【請求項３】
前記リテーナが、感度マップに従って、前記第１および第２の電極を配置する、請求項１に記載のヘッドセット装置。
【請求項４】
前記リテーナが、額上に露出している皮膚に貼付されるように前記第１の電極を配置し、耳の上の露出している皮膚に貼付されるように前記第２の電極を配置する、請求項１に記載のヘッドセット装置。
【請求項５】
前記第１および第２の電極が直接血流外部または筋肉領域の真上に配置されないように、前記リテーナが前記第１および第２の電極を配置する、請求項１に記載のヘッドセット装置。
【請求項６】
電流が前記側脳室を介して、前記第１の電極から前記第２の電極を通るように前記電極の向きが設定される、請求項１に記載のヘッドセット装置。
【請求項７】
前記リテーナが、前記対象の前記頭部上に向けられた際に、第３の電極が前記第１の電極と反対の頭部の側部に配置され、第４の電極が、前記第２の電極と反対の前記頭部の側部に配置されるように、第３の位置の前記リテーナに接続した前記第３の電極および第４の位置の前記リテーナに接続した前記第４の電極をさらに含み、
前記第１および第２の電極に関連する電流が、第１の側脳室を介して流れることを可能とし、前記第３および第４の電極に関連する電流が、前記第１の側脳室と反対の第２の側脳室を介して流れることを可能にするように、前記第３および第４の電極が対となる、
請求項１に記載のヘッドセット装置。
【請求項８】
前記第１および第２の電極の１つから別の前記第１および第２の電極に流れる前記電流からの少なくとも１つの生体インピーダンス信号を測定するように構成される少なくとも１つのプロセッサをさらに含む、請求項１に記載のヘッドセット装置。
【請求項９】
前記少なくとも１つのプロセッサが、前記第１および第２の電極が、前記少なくとも１つの生体インピーダンス信号に基づき配置される前記対象の前記頭部の側部上のＭＣＡ領域に関連する血液動態状態を予測する情報を出力するようさらに構成される、請求項８に記載のヘッドセット装置。
【請求項１０】
前記第１および第２の電極に関連した前記電流からの少なくとも１つの生体インピーダンス信号および前記第３および第４の電極に関連した前記電流からの別の少なくとも１つの生体インピーダンス信号を測定するよう構成される少なくとも１つのプロセッサをさらに含む、請求項７に記載のヘッドセット装置。
【請求項１１】
前記少なくとも１つのプロセッサが、前記第１および第２の電極が前記少なくとも１つの生体インピーダンス信号に基づき配置される前記対象の前記頭部の側部に関連したＭＣＡ領域の血液動態状態を予測し、前記第３および第４の電極が前記少なくとも１つの他の生体インピーダンス信号に基づき配置される前記対象の前記頭部の側部上のＭＣＡ領域に関連する血液動態状態を予測する情報を出力するようさらに構成される、請求項１０に記載のヘッドセット装置。
【請求項１２】
ＭＣＡ領域に関連する血液動態状態を予測する方法であって、
対象の頭部上の第１の位置に第１の電極を配置することであって、前記第１の電極が、前記対象のＭＣＡの前に配置され、側脳室の前角に略対向するように前記第１の電極を配置することと、
前記対象の前記頭部上に第２の位置に第２の電極を配置することであって、前記第２の電極が、前記ＭＣＡの後ろに配置され、前記側脳室の後角に略対向するように前記第２の電極を配置することと、
前記第１の電極と前記第２の電極との間に流れる電流を流すことと、
前記流れる電流から得られる生体インピーダンス信号を測定することと、
前記生体インピーダンス信号に基づき前記第１および第２の電極が配置される前記頭部の側部上の前記ＭＣＡ領域に関連する血液動態状態を予測する情報を出力することと、
を含む、方法。
【請求項１３】
前記第１および第２の電極が、前記対象の前記頭部上の所定の方向に前記第１および第２の電極を配置するよう構成されるリテーナに付着される、請求項１２に記載の方法。
【請求項１４】
駆動の間、前記リテーナが、前記第１の電極と前記第２の電極との間で７０ｍｍ〜１００ｍｍの間隔を維持する、請求項１２に記載の方法。
【請求項１５】
前記リテーナが、感度マップに基づいて、前記第１および第２の電極を配置することを維持する、請求項１２に記載の方法。
【請求項１６】
前記第１の電極を配置することが、前記額上の露出している皮膚に前記第１の電極を貼付することをさらに含み、前記第２の電極を配置することが、前記耳の上の露出している皮膚に前記第２の電極を貼付することをさらに含む、請求項１２に記載の方法。
【請求項１７】
前記第１および第２の位置が、血流外部または筋肉領域の真上にない、請求項１２に記載の方法。
【請求項１８】
前記側脳室を介して前記第１の電極から前記第２の電極まで電流が通ることを可能にするように前記電極の向きを設定することをさらに含む、請求項１２に記載の方法。
【請求項１９】
前記側脳室の前記前角を横切る楔型状の頂部および前記対象の頭蓋に略向けられる略楔の基部（ｗｅｄｇｅ  ｂａｓｅ）を有する楔形の形状の領域中に電流を集めるよう前記第１および第２の電極の向きを設定することをさらに含む、請求項１２に記載の方法。
【請求項２０】
第３の電極が、前記第１の電極と反対の前記頭部の側部に配置されるように、前記対象の前記頭部上に第３の位置に前記第３の電極を配置することと、第４の電極が、前記第２の電極と反対の前記頭部の前記側部に配置されるように、前記対象の前記頭部上の第４の位置に前記第４の電極を配置することと、前記第３の電極および前記第４の電極の間に第２の流れる電流を流すことと、駆動する前記第２の電流から得られる第２の生体インピーダンス信号を測定することと、前記第２の生体インピーダンス信号に基づき前記第３および第４の電極が配置される前記頭部の側部のＭＣＡ領域に関連する血液動態状態を予測する情報を出力することと、
をさらに含む、請求項１２に記載の方法。